(57)【要約】【課題】照明器具１６等の昇降体２の移動中の震動による吊材３の捩れ等を防止し、昇降体２を略水平に保ち、安定的に昇降させる。【解決手段】天井に設けられた昇降装置本体１と、照明器具１６等を備えた昇降体２と、昇降装置本体１と昇降体２とを連結する２本の吊材３とを備え、昇降装置本体１には、吊材３を巻き取る巻取りドラム７と上記吊材３を介して昇降体２を上昇、下降させる駆動部とを設けた照明器具１６等の昇降装置において、吊材３を円弧状断面を有する金属製の長尺帯状材から構成し、昇降体２の相対する側に、２本の吊材３を互いにその内側面または外側面の同じ側面が向き合うように配置して取り付けた。【選択図】図２
2006294477.tif 000002
【特許請求の範囲】
【請求項１】
建物の構造体に設けられた昇降装置本体と、照明器具等を備えた昇降体と、昇降装置本体と昇降体とを連結する２本の吊材とを備え、上記昇降装置本体には、上記吊材を巻き取る巻取りドラムと上記吊材を介して昇降体を上昇、下降させる駆動部とを設けた照明器具等の昇降装置において、
上記吊材を円弧状断面を有する金属製の長尺帯状材から構成し、上記昇降体の相対する側に、上記２本の吊材を互いにその内側面または外側面の同じ側面が向き合うように配置して取り付けた
ことを特徴とする照明器具等の昇降装置。
【請求項２】
上記巻取りドラムの外周面の中央に沿って、上記吊材の曲面の度合いに応じた高さを有するリブを形成したことを特徴とする、請求項１に記載の照明器具等の昇降装置。
【請求項３】
上記駆動部には上記巻取りドラムを回転させる直流電動モータを備え、上記昇降体の停止時に上記電動モータの端子間を短絡させて保持することを特徴とする、請求項１に記載の照明器具等の昇降装置。
【発明の詳細な説明】
【技術分野】
【０００１】
本発明は照明器具等の昇降装置に関する。
【背景技術】
【０００２】
一般に、吹き抜けのように高い天井に装着された照明器具のメンテナンスを容易にするために照明器具の昇降装置が利用されている。これは、天井に設けられた昇降装置本体と、照明器具等を備えた昇降体と、昇降装置本体と昇降体とを連結する１対の吊材とを備え、昇降装置本体に設けられた駆動部によって上記吊材を巻き上げまたは巻戻すことによって昇降体を上昇または下降させるようにしたものである。
【０００３】
駆動部は、主として一般に上記吊材の一端が接続される巻取りドラムと、吊材を巻き取るために巻取りドラムを回転させる電動モータとから構成されている。このような構成の昇降装置により、照明器具が使用される天井付近の最上部位置と照明器具のメンテナンスを行なうために作業可能位置まで下降させた最下部位置との間で昇降体を移動させることが可能となる。
【０００４】
この種の昇降装置においては、一般に昇降体を吊り下げるための１対の吊材はワイヤ等の線材や帯状材が使用されていた。
【特許文献１】特開２００３−３１７５３２公報
【特許文献２】特開２００２−１０４７８１公報
【発明の開示】
【発明が解決しようとする課題】
【０００５】
上記のような照明器具の昇降装置においては、昇降体に接続される照明器具の重心の偏りや昇降体の移動中における震動などのために吊材がねじれたり、昇降体がひっくり返ったりすることがあり、これにより吊材が傷ついたり、吊材の強度が低下したりすることになり、安全性が大きく低下するという問題がある。このため、従来は昇降体にねじれたりひっくり返ったりするのを防止するための突起や壁体が必要とされていた。また、ひっくり返った際に吊材がねじれた状態で上昇するのを防止する部材を設けたりする必要があった。
【０００６】
本発明は上記問題を解決し、吊材に高い剛性をもたせることにより、昇降体の移動中の震動による吊材の捩れ等を防止し、昇降体を略水平に保ち、安定した昇降が可能となる、より安全な照明器具等の昇降装置を提供することをその課題とする。
【課題を解決するための手段】
【０００７】
上記課題を解決するため、請求項１に係る発明は、天井に設けられた昇降装置本体と、照明器具等を備えた昇降体と、昇降装置本体と昇降体とを連結する２本の吊材とを備え、上記昇降装置本体には、上記吊材を巻き取る巻取りドラムと上記吊材を介して昇降体を上昇、下降させる駆動部とを設けた照明器具等の昇降装置において、上記吊材を円弧状断面を有する金属製の長尺帯状材から構成し、上記昇降体の相対する側に、上記２本の吊材を互いにその内側面または外側面の同じ側面が向き合うように配置して取り付けたことを特徴とする。
【０００８】
請求項２に係る発明は、上記巻取りドラムの外周面の中央に沿って、上記吊材の曲面の度合いに応じた高さを有するリブを形成したことを特徴とする。
【０００９】
請求項３に係る発明は、上記駆動部には上記巻取りドラムを回転させる電動モータを備え、上記昇降体の停止時に上記電動モータの端子間を短絡させて保持することを特徴とする。
【発明の効果】
【００１０】
請求項１に係る発明によれば、吊材は円弧状断面を有する金属製の長尺帯状材から構成され、このように断面が円弧状の金属帯状材は、巻取りドラムから巻き戻して真直状態にすると、そのまま真直状態を保とうとする特性がある。したがって、巻取りドラムから巻戻されて伸長した状態、つまり昇降体を下降させるときの真直状態では剛性を有するので、昇降体の移動中の震動によって、吊材がねじれて交差するような力が働いたり、昇降体がひっくり返るような力が働いても、吊材は常に真直状態になろうとするから、ねじれ等の変形やひっくり返るのを有効に防止することができ、昇降体を常に水平状態に保持することができる。また、上記２本の吊材を互いにその内側面または外側面の同じ側面が向き合うように配置して取り付けたので、昇降が安定する。これにより、照明器具等を安定かつ安全に昇降させることができる。
【００１１】
また、吊材は真直状態では剛性を有するが、渦巻状に回りやすい性質も併せ持ち、巻取りドラムには巻きとられやすく、さらに帯状であるから、巻取りドラムに巻き回された状態では全体のボリュームを小さく抑えることができる。このように剛性の高い太いワイヤケーブルなどを必要としないから、昇降装置本体をコンパクトにすることができる。
【００１２】
請求項２に係る発明によれば、上記巻取りドラムの外周面の中央に沿って、上記吊材の曲面の度合いに応じた高さを有するリブを形成したから、巻取りドラム上に巻き回された状態で吊材の弯曲状態が保持される。
【００１３】
請求項３に係る発明によれば、昇降体の停止時に電動モータの端子間を短絡させるので、電動モータの自由回転が規制され、昇降体の停止状態を安定に保持することができる。
【発明を実施するための最良の形態】
【００１４】
以下、本発明の実施形態を図に基づいて説明する。図１及び図２はそれぞれ照明器具の昇降装置の側面図およびその要部の底面図である。上記昇降装置は、天井に設けられた昇降装置本体１と、照明器具等を備えた昇降体２と、昇降装置本体１と昇降体２とを連結する吊材３とから構成されている。
【００１５】
昇降装置本体１は、建物の構造体、たとえば天井４に固定された固定金具１４に直付けされたベースプレート５の外側をドーナツ状のケース６で覆うとともに、その内部に次の部品を取り付けたもので、ベースプレート５には巻取り装置とその駆動部が設けられている。巻取り装置として巻取りドラム７が、駆動部として電動モータ８が、それぞれ対になって設けられている。また、ベースプレート５にはコードリール９とガイドローラ１０が配置されている。さらに、上昇停止スイッチ１１と下降停止スイッチ１２とが設けられている。１３はリモコンユニットである。
【００１６】
なお、上昇停止スイッチ１１は次に述べる昇降体２に接触したときに作動するように設定され、下降停止スイッチ１２は後述の吊材３が所定の長さまで巻き戻されたことを検出して作動するように設定されている。
【００１７】
次に、昇降体２は昇降プレート１８の中央に照明器具取付金具１５を配置し、この取付金具１５に照明器具１６を取り付けたもので、取付金具１５と照明器具１６との間には緩衝材１７が介装されている。
【００１８】
また、昇降装置本体１と昇降体２とは２本の吊材３を介して連結されている。吊材３は図３に示されるように、スチール等の金属製長尺帯状材から構成されている。各吊材３の断面は円弧状に弯曲しており、その一端は上記昇降装置本体１の各巻取りドラム７に固定され、他端は昇降体２の昇降プレート１８に固定されている。
【００１９】
上記２本の吊材３は昇降体２のバランスが取れるように相対する側に取り付けられ、互いにその内側面（外側面でもよい）を向き合いにして配置固定されている。なお、昇降体２の吊材３固定位置と昇降装置本体１の巻取りドラム７の位置は対応するように配置されている。
【００２０】
そして、巻取りドラム７に巻き取られた吊材３は、昇降装置本体１のケースに形成された開口部２０を貫通して昇降プレート１８に取り付けられる。同様に、上記コードリール９から繰り出された電源コード１９も上記ケースの開口部２０を貫通して昇降プレート１８に取り付けられた照明器具用引っ掛けシーリング２６に接続されている。
【００２１】
電動モータ８により巻取りドラム７を巻戻し方向に回転駆動することによって下方に引き出され、巻取りドラム７を巻上げ方向に回転駆動することによって上方に移動する。したがって、吊材３に吊り下げ固定された昇降体２を上昇または下降させることができる。
【００２２】
なお、昇降装置本体１の天井への取り付けあるいは照明器具１６の昇降体２への取り付けは、公知の取り付け手段によって取り付ければよい。
【００２３】
上記構成において、通常は昇降体２は図１の上部に示した位置にある。照明器具１６が故障したとき、あるいは掃除する必要があるときは、リモートコントローラ（図示せず）を操作して電動モータ８を作動させればよい。２つの電動モータ８は同時に逆方向に作動し、それぞれに接続した巻取りドラム７を同時に巻戻し回転させるので、吊材３は巻き戻されて昇降体２は下降する。そして、所定の長さまで巻き戻されて照明器具１６が十分に下降すると、下降停止スイッチ１２が働き、電動モータ８は停止する。ここで補修、部品交換、清掃等の作業をすればよい。
【００２４】
作業終了後は再びリモートコントローラを操作して電動モータ８を逆回転させると、２つの電動モータ８は同時に上述と逆の巻き上げ方向に作動し、それぞれに接続した巻取りドラム７を同時に逆方向に回転させるので、吊材３は巻き上げられて昇降体２は上昇する。そして、所定の位置まで巻き上げられて昇降体２の昇降プレート１８が昇降装置本体１の２つの上昇停止スイッチ１１に当ると、該スイッチがオン作動し、電動モータ８は停止する。もちろん、下限位置でなくても停止させることはできる。
【００２５】
上述のように、吊材３は円弧状断面を有する金属製の長尺帯状材から構成され、このように断面が円弧状に湾曲した金属帯状材は、巻取りドラム７上ではあまり弯曲していないが、巻き戻されて伸長すると弯曲して真直状態になり、そのまま真直状態を保とうとする特性があり、真直状態を変形させようとする力が加わると、もとの真直状態に戻ろうとするので、変形させにくい。したがって、巻取りドラム７から巻き戻されて昇降体２を下降させたときの真直状態では剛性を有するので、昇降体２の移動中の震動によって、吊材３がねじれて交差するような力が働いたり、昇降体２がひっくり返るような力が働いても、吊材３は常に真直状態になろうとするから、ねじれ等の変形やひっくり返るのを有効に防止することができ、昇降体２を常に水平状態に保持することができる。また、上記２本の吊材３を互いにその内側面または外側面の同じ側面が向き合うように配置して取り付けたので、昇降が安定する。これにより、安定かつ安全な昇降が可能となる。
【００２６】
また、吊材３は真直状態では剛性を有するが、渦巻状に回りやすい性質も併せ持ち、巻取りドラム７には巻きとられやすく、さらに帯状であるから、巻取りドラム７に巻き回された状態では全体のボリュームを小さく抑えることができる。このように剛性の高い太いワイヤケーブルなどを必要としないから、昇降装置本体１をコンパクトにすることができる。
【００２７】
なお、図４に示されるように、巻取りドラム７（ガイドローラ２５も）の外周面には、その中央に沿って、上記吊材３の曲面の度合いに応じた高さを有するリブ２１を形成するのが好ましい。これにより、吊材３の弯曲度合いが永く保持される。但し、吊材３の幅が狭いときはリブを設ける必要はない。
【００２８】
また、昇降体２の停止時には電動モータ８の端子間を短絡させて保持するのが好ましい。この場合の制御回路の例を図５及び図６について説明する。
【００２９】
図５は３個のリレーを使用して電動モータ８の制御を行う場合を示し、待機時や昇降体２の停止時では、同図（ａ）のように、入力端子の上昇、下降の何れにも電圧を印加しない。この場合、リレーR１、R２、R３は全て非動作状態にあり、このときのリレーR１の接点R１１、R１２は開き、リレーR２の接点R２１、R２２は開き、電動モータ８はリレーR３の接点R３１で短絡される。これにより、電動モータ８の自由回転が規制され、昇降体２の停止状態を安定に保持することができる。
【００３０】
吊材３を上昇させるときは、同図（ｂ）のように、入力端子の上昇と共通の端子に電圧を印加する。リレーR１、R３が動作状態、リレーR２が非動作状態になるので、リレーR１の接点R１１、R１２は閉じ、リレーR２の接点R２１、R２２は開き、リレーR３の接点R３１はモータの短絡を解除するので、モータの駆動電流は整流回路の＋端子から接点R１１、接点R３１、電動モータ８、接点R１２を経由して−端子に流れるので電動モータ８を吊材３巻き上げ方向に回転させることができる
吊材３を下降させるときは、同図（ｃ）のように、入力端子の下降と共通の端子に電圧が印加する。リレーR２、R３が動作状態、リレーR１が非動作状態になるので、リレーR１の接点R１１、R１２は開き、リレーR２の接点R２１、R２２は閉じ、リレーR３の接点R３１は電動モータ８の短絡を解除するので、電動モータ８の駆動電流は整流回路の＋端子から接点R２１、電動モータ８、接点R３１、接点R２２を経由して整流回路の−端子に流れるので電動モータ８を吊材３巻き戻し方向に回転させることができる。
【００３１】
また、図６は２つのリレーを使用してモータの制御を行う場合を示し、待機時や昇降体２の停止時では、同図（ａ）のように、入力端子の上昇、下降の何れにも電圧が印加しない。リレーR１、R２は全て非動作状態にあり、このときのリレーR１の接点R１１は開き、接点R１２は閉じた状態になり、リレーR２の接点R２１は開き、接点R２２は閉じた状態になるので、電動モータ８は接点R１２と、接点R２２とで短絡される。
【００３２】
吊材３を上昇させるときは、同図（ｂ）のように、入力端子の上昇と共通の端子に電圧が印加する。リレーR１が動作状態、リレーR２が非動作状態になるので、リレーR１の接点R１１と、リレーR２の接点R２２は閉じた状態になり、リレーR１の接点R１２と、リレーR２の接点R２１は開いた状態になるので、モータの駆動電流は整流回路の＋端子から接点R１１、電動モータ８、接点R２２を経由して−端子に流れ、電動モータ８を吊材３巻き上げ方向に回転させることができる。
【００３３】
吊材３を下降させるときは、同図（ｃ）のように、入力端子の下降と共通の端子に電圧が印加する。リレーR１が非動作状態、リレーR２が動作状態になるので、リレーR１の接点R１２と、リレーR２の接点R２１は閉じた状態になり、リレーR１の接点R１１と、リレーR２の接点R２２は開いた状態になるので、モータの駆動電流は整流回路の＋端子から接点R２１、電動モータ８、接点R１２を経由して−端子に流れ、電動モータ８を吊材３巻き戻し方向に回転させることができる。また、リレーＲ１、Ｒ２の接点構成は開閉状態が逆でもよい。この場合、回転方向は上記方向と逆になる。
【００３４】
次に、昇降装置本体１において吊材３は必ずしも２個の電動モータ８によって駆動する例に限定されない。１個でもよい。１個の電動モータ８によって吊材３を作動させるときは、例えば図７、図８に示されるように、１個の電動モータ８と２つの巻取りドラム７とを偶数個（ここでは６個）の伝達ギア２３とカップリング２４を介して作動連結させればよい。これによれば、電動モータ８が作動すると、６個の伝達ギア２３が回転する。これらの伝達ギア２３のうち両端の伝達ギア２３は同時に逆方向に等速で回転するから、両端の伝達ギア２３に連結された巻取りドラム７も同様に回転する。したがって、電動モータ８の回転方向により巻取りドラム７も互いに反対側に回転し、吊材３を下降または上昇方向に移動させることができる。
【００３５】
また、図９、図１０のように、巻取りドラム７間の間隔を小さくし、４個の伝達ギア２３を作動連結するようにし、吊材３は巻取りドラム７からガイドローラ２５を介して下方に下ろす構成としてもよい。
【００３６】
そのほか、電動モータ８からの動力の伝達はギアに限定されない。電動モータの出力軸と巻取りドラムとをタイミングベルトを介して連結する構成であってもよい。
【００３７】
上述のように、吊材に高い剛性をもたせることにより、昇降体の移動中の震動による吊材の捩れ等を防止し、昇降体を略水平に保ち、安定した昇降が可能となる、より安全な昇降装置を提供することをその課題とする。
【００３８】
なお、照明器具への電源接続はコードリールではなく、昇降装置本体と昇降体との間で接点による接続でもよい。また、電動モータは直流電動モータで、減速機付きのギアードモータが好ましい。
【産業上の利用可能性】
【００３９】
本発明は照明器具だけでなく、上昇させたり下降させたりが必要な他の器具、装置類の昇降にも適用できる。
【図面の簡単な説明】
【００４０】
【図１】本発明に係る照明器具の昇降装置の側面図である。
【図２】上記昇降装置の要部の底面図である。
【図３】吊材の一部の斜視図である。
【図４】巻取りドラム（又はガイドローラ）の側面図である。
【図５】（ａ）（ｂ）（ｃ）は電動モータの回路図の一例である。
【図６】（ａ）（ｂ）（ｃ）は電動モータの他の回路図の例である。
【図７】他の照明器具の昇降装置の側面図である。
【図８】上記昇降装置の要部の底面図である。
【図９】さらに別の照明器具の昇降装置の側面図である。
【図１０】上記昇降装置の要部の底面図である。
【符号の説明】
【００４１】
１  昇降装置本体
２  昇降体
３  吊材
７  巻取りドラム
１６  照明器具
【図１】
2006294477.tif 000003
【図２】
2006294477.tif 000004
【図３】
2006294477.tif 000005
【図４】
2006294477.tif 000006
【図５】
2006294477.tif 000007
【図６】
2006294477.tif 000008
【図７】
2006294477.tif 000009
【図８】
2006294477.tif 000010
【図９】
2006294477.tif 000011
【図１０】
2006294477.tif 000012